(57)【要約】      （修正有）【課題】  安価に製造することができ、耐火性でプラスチックからなる輸送及び貯蔵用タンクを提供する。【解決手段】  このタンクは、外側の層が熱の影響に対する少なくとも一つの耐火性媒体を含有する耐火層として構成された多層構造を有する。このプラスチック製の耐火層は、フッ素、塩素、臭素、ヨウ素などのハロゲンを含有することができる。更に、この耐火層は、熱の影響下において不燃性の表面を形成するポリマープラスチックから製造することができる。更に、このプラスチック製タンクの耐火層は、例えば、耐熱性の赤燐又はアルミナから成るナノ粒子を含有するプラスチック、或いは発泡グラファイトから構成することができる。最後に、この耐火層は、前記の延焼防止用素材の複数の層から成る複合層として構成する。【選択図】  図１
2007062848.tif 000002
【特許請求の範囲】
【請求項１】
液状、どろどろした形、粒状及び粉末状の収容商品のための、プラスチックから成る輸送及び貯蔵用タンク、特に、パレット状台座上に立脚する、上方の閉鎖可能な注入用ソケットと、排出栓を備えた下方の排出用ソケット又は上方の閉鎖可能な排出用ソケットとを備えたプラスチック製の内部容器と、この内部容器を取り囲む、金属製の格子状の棒又は金属板、或いはプラスチック繊維から成る外被とを有するパレット式タンクにおいて、
熱の影響に対する少なくとも一つの耐火性媒体を含有する少なくとも一つの外側耐火層（３０）を備えた、ブロー成形によって製造されたプラスチック製内部容器（２）の多層構造（２８〜３０）を特徴とするタンク。
【請求項２】
耐火層（３０）が、少なくとも一つのハロゲンを添加されていることを特徴とする請求項１に記載のタンク。
【請求項３】
耐火層（３０）が、フッ素、塩素、臭素、ヨウ素などのハロゲンを含有することを特徴とする請求項２に記載のタンク。
【請求項４】
熱の影響下において不燃性の表面を形成するポリマープラスチックから成る耐火層（３０）を特徴とする請求項１に記載のタンク。
【請求項５】
赤燐又はアルミナから成るナノ粒子を含有するプラスチックから成る耐火層（３０）を特徴とする請求項１に記載のタンク。
【請求項６】
発泡グラファイトから成る耐火層（３０）を特徴とする請求項１に記載のタンク。
【請求項７】
耐火層（３０）が、請求項２から６までのいずれか一つに記載の少なくとも二つの層から成る複合層として構成されていることを特徴とする請求項１に記載のタンク。
【請求項８】
耐火層（３０）が、電導性のプラスチック材料でコーティングされていることを特徴とする請求項１から７までのいずれか一つに記載のタンク。
【請求項９】
プラスチック製内部容器（２）と外被（１３）との間に配置された、金属板材料から成る耐火性外被（３５）を特徴とする請求項１から８までのいずれか一つに記載のタンク。
【請求項１０】
液状、どろどろした形、粒状及び粉末状の収容商品のための、プラスチックから成る輸送及び貯蔵用タンク、特に、パレット状台座上に立脚する、上方の閉鎖可能な注入用ソケットと、排出栓を備えた下方の排出用ソケット又は上方の閉鎖可能な排出用ソケットとを備えたプラスチック製の内部容器と、この内部容器を取り囲む、金属製の格子状の棒から成る外被とを有するパレット式タンクにおいて、
プラスチック製内部容器（２）と外被（１３）との間に配置された、熱の影響に対する少なくとも一つの耐火性媒体を含有するプラスチック材料から成る内側の層と外側の層の両方又は一方を備えている、金属板材料から成る耐火性外被（３５）を特徴とするタンク。
【発明の詳細な説明】
【技術分野】
【０００１】
この発明は、液状、どろどろした形、粒状及び粉末状の収容商品のための、プラスチックから成る輸送及び貯蔵用タンク、特に、パレット状台座上に立脚する、上方の閉鎖可能な注入用ソケットと、排出栓を備えた下方の排出用ソケット又は上方の閉鎖可能な排出用ソケットとを備えたプラスチック製の内部容器と、この内部容器を取り囲む、金属製の格子状の棒又は金属板、或いはプラスチック繊維から成る外被とを有するパレット式タンクに関する。
【背景技術】
【０００２】
様々な収容商品の輸送と貯蔵のためのプラスチック製タンクは、一般的に耐火性ではない。
【０００３】
特許文献１は、プラスチック製内部容器と外被との間に配置された、熱放射を反射する金属板材料から成る耐火性外被と、内部容器と耐火性外被との間に配備された、グラスファイバー又はアルミニウムファイバーから成る織物又はフリース、ロックウールから成るセラミックフリース、或いは耐火性の水ガラスを染み込ませたボール紙から製造することができる追加の火及び熱の遮断体とを有する、この種のパレット式タンクを記載している。
【０００４】
プラスチック製の内部容器が、熱放射を反射する金属板材料から成る耐火性外被及び内部容器と耐火性外被との間に配置された、火の影響に対する追加の火及び熱の遮断体によって保護される、この周知のパレット式タンクの製造は、比較的負担がかかり、それに対応して高価となる。
【特許文献１】ドイツ特許公開第１０１６１６９３号明細書
【発明の開示】
【発明が解決しようとする課題】
【０００５】
この発明の課題は、安価に製造することができ、耐火性で、プラスチックから成る、様々な種類の収容商品のための輸送及び貯蔵用タンクを開発することである。
【課題を解決するための手段】
【０００６】
この課題は、この発明にもとづき、請求項１と請求項８によるプラスチック製の輸送及び貯蔵用タンクによって解決される。
【０００７】
従属請求項は、この発明の有利で目的に適った改善構成を含んでいる。
【発明を実施するための最良の形態】
【０００８】
以下において、図面にもとづき、この発明によるプラスチック製の内部容器を備えたパレット式タンクの二つの実施構成を説明する。
【０００９】
図１による液体を輸送及び貯蔵するための単一目的及び多目的タンクとして用いることができるパレット式タンク１は、主要な構成部品として、前方壁面３と、後方壁面４と、二つの側方壁面５，６と、下方と上方の床面７，８と、上方の床面７に形成された、蓋１０で閉鎖可能な注入用ソケット９と、前方壁面３の下方部分に形成され、排出栓１２を備えた排出用ソケット１１とを有する交換可能な平行六面体形状のプラスチック製内部容器２を備えており、このタンクは、更に、内部容器２を収容するための金属製で交差する形の水平と垂直の格子状の棒１４，１５から成る外側の格子状外被１３と、縦横のサイズがヨーロッパ標準に準拠したパレット状の台座１６とを備えている。
【００１０】
排出底として構成された、内部容器２の下方の床面７は、容器の後方壁面４から前方壁面３の排出用ソケット１１の方に傾斜した中央の排出用溝１７を備えており、内部容器２は、下方の床面７と当接しており、この床面は、台座１６の底部１８と整合している。
【００１１】
フォークリフト、通常の操作機器及び同等の輸送手段を用いて取り扱うために構成されたパレット式タンク１の台座１６の底部１８は、四つの角の脚部１９〜２２と、後方中央の脚部２３と、パレット式タンク１の排出栓１２の下に配置され、底部１８から形成された前方中央の脚部２４と、底部１８用のブリッジ状補強用金属板２７の外側の端部によって形成された二つの側方中央の脚部２５，２６とで支えられている。
【００１２】
図２は、高密度のポリエチレンからブロー成形により製造されたプラスチック製内部容器２の前方壁面３と、後方壁面４と、側方壁面５，６と、下方及び上方の床面７，８とが、内側層２８と、中間層２９と、熱の影響に対する外側耐火層３０とから構成されることを図解している。
【００１３】
特に、そして全く一般的に、例えば、プラスチック繊維などのプラスチックから成る容器において、パレット式タンク１の内部容器２の外側耐火層３０を製造するためには、フッ素、塩素、臭素、ヨウ素などのハロゲンを含有する様々なプラスチックが考慮の対象となる。
【００１４】
更に、プラスチック製タンクの場合、この耐火層は、熱の影響下において不燃性の表面を形成するポリマープラスチックから製造することができる。
【００１５】
更に、このプラスチック製タンクの耐火層は、例えば、耐熱性の赤燐又はアルミナから成るナノ粒子を含有するプラスチックから構成することができる。
【００１６】
発泡グラファイトから構成された外側耐火層３０は、火の影響に対する効果的な保護に貢献するものである。この発泡グラファイトは、熱の影響により膨張して、プラスチック製内部容器の表面に、格子状外被１３の格子棒１４，１５を部分的又は完全に取り囲む、図２に模式的に図示した泡沸層３１を形成する。この泡沸層は、内部容器の収容商品を火炎から隔離して、内部容器のポリエチレン製内壁が更に溶けるのを防止する。
【００１７】
更に、耐火層３０は、前述した耐火層の中の少なくとも二つによって形成された複合層として構成することができる。
【００１８】
同じ手法により、内部容器２の支持層としての中間層２９も、複合層により構成することができる。
【００１９】
図３に図示したパレット式タンク３２は、図１によるパレット式タンク１とは、内部容器２の注入用ソケット９に対する中央のアクセス用開口部３４を備え、格子状外被１３に固定された取り外し可能な保護用蓋３３と、格子状外被１３に取り付けられ、四つの側方壁面３５ａ〜３５ｄを備えた耐火性外被３５とが異なる。
【００２０】
輸送及び貯蔵用タンク３２の耐火性外被３５、保護用蓋３３、台座１６の角の脚部１９〜２２及び中央の脚部２３〜２５は、熱放射を反射する金属板材料から製造される。
【００２１】
耐火性外被３５の側方壁面３５ａ〜３５ｄは、台座１６の底部１８と格子状外被１３の垂直の格子棒１５の引っ込められた下方端部１５ａとの間に挟み込まれる。
【００２２】
更に、耐火性外被３５の側方壁面３５ａ〜３５ｄを垂直の格子棒１５の下方端部１５ａと格子状外被１３の下方の枠３６の両方又は一方と固定する方策が有る。
【００２３】
耐火性外被３５の外側に向かって僅かに曲がった上方周縁部３７によって、内部容器２の耐火性外被３５への取り付けが容易となるとともに、取り付けの際の内部容器の損傷が防止される。
【００２４】
耐火性外被３５の上方周縁部３７の縁３８に取り付けられた保護用蓋３３は、耐火性外被３５と共に、格子状外被１３の垂直の格子棒１５の上方端部１５ｂ上に固定される。
【００２５】
ブロー成形により製造されたプラスチック製内部容器２は、図１によるパレット式タンク１の内部容器と同様に、内側層２８と、中間層２９と、熱の影響に対する外側耐火層３０とから構成され、その際耐火層は、図１によるパレット式タンクと関連して記述した延焼防止素材を含有することができる。
【００２６】
内部容器２の外側の単層又は多層の耐火層３０を発泡グラファイトで製造した場合、火災時に、内部容器２と耐火性外被３５の側方壁面３５ａ〜３５ｄ、保護用蓋３３及び台座１６の底部１８との間に有る空洞が、熱の影響によって膨張した発泡グラファイトの泡沸層３１で満たされることとなる。金属板材料から成る耐火性外被３５と内部容器２の外側耐火層の発泡グラファイト製泡沸層３１が、火災時におけるパレット式タンクに対する有効な防火を保証するものである。
【００２７】
耐火性を備えたパレット式タンクの別の実施構成では、内部容器２と外被１３との間に配置された、金属板材料から成る耐火性外被３５は、熱の影響に対する少なくとも一つの耐火性媒体を含有するプラスチック材料から成る内側層と外側層の両方又は一方を有する。
【００２８】
最後に、前述した輸送及び貯蔵用タンクでは、内部容器の耐火層に、電導性のプラスチック材料をコーティングすることができる。
【図面の簡単な説明】
【００２９】
【図１】パレット式タンクの第一の実施構成の斜視図
【図２】図１のパレット式タンクにおける三層構造のプラスチック製内部容器の壁面と格子状外被の横断面を拡大した図
【図３】パレット式タンクの第二の実施構成の斜視図
【図４】蓋の領域の縦断面を部分的に拡大した図
【図５】図３のタンクの底領域の縦断面を部分的に拡大した図
【符号の説明】
【００３０】
１    パレット式タンク
２    内部容器
３    前方壁面
４    後方壁面
５，６    側方壁面
７    下方の床面
８    上方の床面
９    注入用ソケット
１０    蓋
１１    排出用ソケット
１２    排出栓
１３    格子状外被
１４，１５    格子棒
１５ａ  格子棒１５の引っ込められた下方端部
１５ｂ  格子棒１５の上方端部
１６    台座
１７    排出用溝
１８    台座１６の底部
１９〜２２    台座１６の脚部
２３〜２６    台座１６の中央の脚部
２７    補強用金属板
２８    内側層
２９    中間層
３０    外側耐火層
３１    泡沸層
３２    パレット式タンク
３３    保護用蓋
３４    中央の開口部
３５    耐火性外被
３５ａ〜３５ｄ  耐火性外被３５の側方壁面
３６    格子状外被１３の下方の枠
３７    耐火性外被３５の上方周縁部
３８    上方周縁部３７の縁
【図１】
2007062848.tif 000003
【図２】
2007062848.tif 000004
【図３】
2007062848.tif 000005
【図４】
2007062848.tif 000006
【図５】
2007062848.tif 000007